(57)【特許請求の範囲】
【請求項１】
経糸と緯糸から筒状に製織したジャケットにライナー層を内貼りした消防ホースにおいて、前記ジャケットの織組織をＮ／１外綾と１／Ｎ内綾（ただし、Ｎ＝３又は４）とが交互配列する綾織構造にした消防ホース。
【請求項２】
前記織組織を３／１外綾と１／３内綾とが交互配列する綾織構造にした請求項１に記載の消防ホース。
【請求項３】
前記緯糸の５０ｍｍ幅当たりの打込み数を３０本以上にした請求項１又は２に記載の消防ホース。
【請求項４】
前記ジャケットの外周面に撥水剤をコーティングした請求項１，２または３に記載の消防ホース。
【請求項５】
前記撥水剤がシリコーンである請求項４に記載の消防ホース。
【発明の詳細な説明】
【０００１】
【発明の属する技術分野】
本発明は消防ホースに関し、さらに詳しくは、キンクを発生しにくくした消防ホースに関する。
【０００２】
【従来の技術】
消火作業中において、消防ホースは一方の端部を消火栓や放水ポンプ等に連結し、他方の端部に順次必要な本数を連結しながら火災現場まで展張され、最後の消防ホース端部にノズルを連結して放水を行う。放水ノズルは火勢の状況に応じて色々な場所へ移動させるため、その移動に伴って消火ホースも地上等を引きずり廻されながら移動する。
【０００３】
上記のような消火作業の過程で、消防ホースが何らかの理由により極端な曲げ荷重を受けると、図４に示すように、消防ホース１の湾曲部の内周側にＶ字状に折れ曲がったキンクＫを発生することがある。このようなキンクＫが発生すると、消防ホース１の通水面積が実質的にゼロになったり、或いは小さく絞られた状態になるため、通水が停止してしまったり、或いは通水量が極端に減少して、以後の消火作業が出来なくなったり、消火作業員が危険にさらされたりする等の問題があった。
【０００４】
【発明が解決しようとする課題】
本発明の目的は、上述した従来の問題を解消し、キンクを発生しにくくした消防ホースを提供することにある。
【０００５】
【課題を解決するための手段】
上記目的を達成する本発明の消防ホースは、経糸と緯糸から筒状に製織したジャケットにライナー層を内貼りした消防ホースにおいて、前記ジャケットの織組織をＮ／１外綾と１／Ｎ内綾（ただし、Ｎ＝３又は４）とが交互配列する綾織構造にしたことを特徴とするものである。
【０００６】
キンクは消防ホースが小さな曲率半径になるまで曲げられたときに中間部がＶ字状に屈折する現象であるから、消防ホースを曲げていくときにキンクが発生する寸前の曲率半径（最小曲げ半径）が小さければ小さいほどキンクを発生しにくいホースということになる。本発明の消防ホースは、ジャケットをＮ／１外綾と１／Ｎ内綾（ただし、Ｎ＝３又は４）とが交互配列する綾織構造にしているため、経糸が動きやすくなり曲げ剛性の小さいホースにすることができる。したがって、消防ホースを曲げたときの最小曲げ半径が可及的に小さくなり、キンクが発生しにくくなるのである。
【０００７】
【発明の実施の形態】
本発明において、消防ホースの骨格をなすジャケットは、長手方向に筒状に配列した経糸に緯糸が周方向に螺旋状に織り込まれるように織製されている。かつ、その織組織が、Ｎ／１外綾と１／Ｎ内綾（ただし、Ｎ＝３又は４）とが交互配列した綾織構造になっている。特に、Ｎ＝３にした、３／１外綾と１／３内綾とが交互配列した綾織である場合が好ましい。
【０００８】
図１（Ａ）〜（Ｃ）は、本発明の消防ホースを構成するジャケットの織組織について、Ｎ＝３の場合を例示したものである。この組織図において、上下方向が経糸、左右方向が緯糸であり、これら経糸と緯糸が交差する交点のうち、経糸が外側になる交点を白抜きの□で示し、経糸が内側になる交点を黒塗りの□で示している。
【０００９】
図１（Ａ）〜（Ｃ）の各織組織とも、３／１外綾と１／３内綾とが交互に配列した構成になっている。このうち図１（Ａ）の組織図では、互いに隣接する３／１外綾と１／３内綾との関係を、３／１外綾の連続する３個の経糸外側交点の中央位置の交点と、隣の１／３内綾の経糸外側交点とが緯糸方向に並ぶようにしてある。図１（Ｂ）の組織図では、３／１外綾の連続する３個の経糸外側交点の下端位置の交点と、隣の１／３内綾の経糸外側交点とが緯糸方向に並ぶようにしてある。また、図１（Ｃ）の組織図では、３／１外綾の連続する３個の経糸外側交点の上端位置の交点と、隣の１／３内綾の経糸外側交点とが緯糸方向に並ぶようにしてある。
【００１０】
このようにジャケットの織組織を、３／１外綾と１／３内綾とが交互に配列する綾織か、或いは４／１外綾と１／４内綾とが交互に配列する綾織にしたことにより、従来の消防ホースに採用されていた平織や２／１綾織のジャケットの場合よりも、経糸が動きやすくなり、かつ曲げ荷重を受けるとき捩じりを生じながら曲がることにより、ホースの曲げ剛性を小さく曲げやすくすることができる。その結果、消防ホースを曲げる際の最小曲げ半径が小さくなり、キンクを生じにくくすることができる。
【００１１】
上記綾織組織において、好ましくは緯糸の５０ｍｍ幅当たりの打込み数は３０本以上、さらに好ましくは３５本以上にするとよい。従来の消防ホースに使用されているジャケットでは、緯糸の５０ｍｍ幅当たりの打込み数は２５本程度であるので、これよりも密にするのである。このように緯糸の５０ｍｍ幅当たりの打込み数を３０本以上に密にすることにより、消防ホースが曲げ作用を受けたときの湾曲内側面の変形を１か所に集中させず、多数の各緯糸に分散吸収させることができる。そのため上記綾織組織にしたことと相まって、本発明の消防ホースにキンクを一層発生しにくくする。
【００１２】
緯糸の打込み数は、ホースの呼び径により、呼び径が大きいほど多くすることが望ましい。すなわち、特に呼び径５０ｍｍ以上のホースにおける緯糸の５０ｍｍ幅当たりの打込み数は３５本以上とし、さらに好ましくは３８本以上にするとよい。緯糸の５０ｍｍ幅当たりの打込み数の上限は特に限定されないが、６０本程度に設定することが好ましい。
【００１３】
緯糸の繊度としては特に限定されるものではないが、好ましくは１１００ｄｔｅｘ以上の糸を用いることが望ましい。
【００１４】
本発明において、さらに好ましくは、上記のようなジャケット構造に加えて、ジャケット外表面に撥水剤をコーティングするとよい。火災現場では路面に水が溜まって水膜が形成されることが多いが、消防ホースが水膜と接触してジャケットを湿潤状態にすると、地上を引きずり廻されるときの摩擦抵抗が高くなり、大きな摩擦力による曲げ作用を受けることによりキンクを発生しやすくなる。しかし、上記のようにジャケット外表面に撥水剤をコーティングし、ジャケットが常に乾燥状態を維持するようにすることにより、上記摩擦力による曲げ作用を受け難くなるため、キンクの発生を低減することができる。
【００１５】
コーティングに使用する撥水剤としてはシリコーンが好ましい。シリコーンは、ジャケットの乾燥状態に維持するのみならず、路面との摩擦抵抗も低減するため、路面との摩擦力により受ける曲げ作用を低減することができる。シリコーンの種類としては特に限定されるものではないが、好ましくは主鎖がオルガノシロキサン結合─（ＳｉＲ2 Ｏ）n ─からなるシリコーンゴムがよい。
【００１６】
消防ホースが有するキンク防止効果の確認は、図３に示すような測定法によって容易に行うことができる。
【００１７】
まず、対象の消防ホースに水を充填して、０．４ＭＰａの圧力（水圧）を負荷した状態にし、それを図３のように２枚の板２０，２０の間に挟み、互いに接近させながらホースを湾曲させていくとき、キンクが発生する直前の最小曲げ半径ｒを測定する（圧力０．４ＭＰａは消防ホースから水を放水するときのノズル出口での水圧に相当する）。その最小曲げ半径ｒが小さいほど、キンクが発生しにくいホースであることを意味する。
【００１８】
本発明の消防ホースによれば、上記最小曲げ半径ｒを２５ｃｍ以下、さらに好ましくは２０ｃｍ以下にすることができる。
【００１９】
図２は、本発明の消防ホースの実施形態について要部を示したものである。
【００２０】
図２に示すように、消防ホース１は筒状のジャケット２の内面にライナー層３を貼り付け、また外表面に撥水剤４をコーティングするように構成されている。筒状のジャケット２は、多数本の経糸２ａをホース長手方向に環状に配列させ、これらに緯糸２ｂが螺旋状に打ち込まれて製織されている。その緯糸２ｂの打込み方法は、隣接する経糸毎に交互に異なり、Ｎ／１織と１／Ｎ織（ただし、Ｎ＝３又は４）とが交互配列する綾織構造になっている。
【００２１】
ジャケット２の内側に貼り付けられたライナー層３はシール層として設けられたものである。このライナー層３には、ポリ塩化ビニル，ポリエチレン等の軟質樹脂或いは天然ゴム、合成ゴムが使用されている。
【００２２】
撥水剤４は、前述したように消防ホース１が地上の水膜に接触したとき、その水によってジャケット２が湿潤状態にならないように設けたものである。ジャケット２が常に乾燥状態を維持することにより、消防ホース１は高いキンク防止効果を保つことができる。
【００２３】
【発明の効果】
上述したように本発明の消防ホースによれば、ジャケットの織組織をＮ／１外綾と１／Ｎ内綾（ただし、Ｎ＝３又は４）が交互配列する綾織構造にしたため、経糸を大いに動きやすくして曲げ剛性を小さくすることができる。したがって、消防ホースを曲げるときの最小曲げ半径が小さくなり、キンクを発生しにくくすることができる。
【図面の簡単な説明】
【図１】（Ａ），（Ｂ），（Ｃ）は、それぞれ本発明の消防ホースを構成するジャケットの織組織を示した組織図である。
【図２】本発明の消防ホースの実施形態について要部を示す縦断面図である。
【図３】消防ホースのキンク防止効果を測定する方法の説明図である。
【図４】消防ホースに発生するキンクの説明図である。
【符号の説明】
１  消防ホース
２  ジャケット
２ａ  経糸
２ｂ  緯糸
３  ライナー層
４  撥水剤
Ｋ  キンク
【図１】
0004647833.tif 000002
【図２】
0004647833.tif 000003
【図３】
0004647833.tif 000004
【図４】
0004647833.tif 000005